(57)【要約】【課題】高さ方向にコンパクトな形状のコネクタハウジングを提供する。【解決手段】コネクタハウジング１１は、ハウジング本体１２と、ハウジング本体１２の内部に上下方向に複数段に配設された端子収容室１７Ａ、１７Ｂ、１７Ｃと、各端子収容室に後方から端子が挿入された際に端子を係止するランス１９Ａ、１９Ｂ、１９Ｃとを備える。ランス１９Ａ、１９Ｂ、１９Ｃは、上側の端子収容室１７Ａ、１７Ｂにおいては下側に、下側の端子収容室１７Ｃにおいては上側にそれぞれ設けられ、且つ、上方から見た際に左右方向に互いに間隔をあけて設けられている。【選択図】図３
2019114361.tif 000002
【特許請求の範囲】
【請求項１】
相手側コネクタのハウジングと嵌合するハウジング本体と、
前記ハウジング本体に端子を組み付ける際の端子の挿入方向と直交する方向のうち、一の方向を上下方向、他の方向のうち上下方向と直交する方向を左右方向とするとき、前記ハウジング本体の内部に上下方向に複数段に配設され、後方からそれぞれ端子が挿入される複数の端子収容室と、
前記各端子収容室に後方から端子が挿入された際に端子に押されて撓み変形し、端子が所定位置まで挿入された段階で撓みから復元して端子を係止する、前記各端子収容室ごとに設けられた可撓片であって、上下方向に隣接する少なくとも２つの前記端子収容室のうちの上段の前記端子収容室においては該端子収容室の下側に、下段の前記端子収容室においては該端子収容室の上側にそれぞれ設けられ、且つ、上方から見た際に左右方向に互いに間隔をあけて設けられた複数のランスと、
を備える、
ことを特徴とするコネクタハウジング。
【請求項２】
請求項１に記載のコネクタハウジングであって、
前記複数のランスは、端子挿入時の撓み変形の範囲の少なくとも一部が、左右方向から見た際に互いに重なるように形成されている、
ことを特徴とするコネクタハウジング。
【請求項３】
請求項１または２に記載のコネクタハウジングであって、
前記複数の端子収容室の間に、前記ランスを撓ませることで端子に対する前記ランスの係止を解除する端子抜き治具の挿入孔が、共通な挿入孔として設けられている、
ことを特徴とするコネクタハウジング。
【発明の詳細な説明】
【技術分野】
【０００１】
本発明は、各端子収容室ごとに、挿入された端子の抜け止め用のランスが設けられたコネクタハウジングに関するものである。
【背景技術】
【０００２】
例えば、自動車の電気系統の接続に使用されるコネクタは、樹脂製のコネクタハウジングに形成された各端子収容室にそれぞれ端子を挿入し、各端子収容室ごとに設けられた可撓性のランスにより、各端子を係止した構造を有している。この種のコネクタのなかに、コネクタハウジングの上下方向に複数段に端子収容室が設けられたものがある。
【０００３】
一般に、各端子収容室ごとに設けられたランスは、端子収容室に後方から端子が挿入された際に、端子に押されて端子の挿入方向と直交する方向に撓み変形する。そして、端子が所定位置まで挿入された段階で、元の位置に撓みから復元し、端子を係止するようになっている。
【０００４】
このようにランスが撓み変形する関係から、従来の上下複数段に端子収容室を配列したコネクタハウジングでは、同じ向きに位置するようにランスを配置したり、上段の端子収容室では上側にランスを配置し、下段の端子収容室では下側にランスを配置したりしている。
【０００５】
例えば、特許文献１に記載のコネクタでは、図５に示すように、メス端子１１８を備える第１コネクタ１１０のコネクタハウジング１１１の上側の端子収容室１１２Ａについては、端子収容室１１２Ａを画成する上壁部（上側）にランス１１３を設け、下側の端子収容室１１２Ｂについては、端子収容室１１２Ｃを画成する下壁部（下側）にランス１１３を設けている。また、オス端子１２８を備える第２コネクタ１２０においても、コネクタハウジング１２１の上側の端子収容室１２２Ａについては、端子収容室１２２Ａを画成する上壁部（上側）にランス１２３を設け、下側の端子収容室１２２Ｂについては、端子収容室１２２Ｂを画成する下壁部（下側）にランス１２３を設けている。つまり、上段と下段の端子収容室１１２Ａ、１１２Ｂ（１２２Ａ、１２２Ｂ）は、それぞれのランス１１３（１２３）が互いに遠い位置に来るように背中合わせの向きで形成されている。
【０００６】
また、この例とは別に、上段の端子収容室のランスを下側（または上側）に配置した場合に、下段の端子収容室のランスも、同じ向きに位置するように、下側（または上側）に配置する例もある。
【先行技術文献】
【特許文献】
【０００７】
【特許文献１】特開平７−１５３５２３号公報
【発明の概要】
【発明が解決しようとする課題】
【０００８】
上述したように、従来のコネクタハウジングでは、ランスが同じ向きになるように端子収容室を形成したり、ランスの位置が上下段で互いに遠い位置に来るように端子収容室を形成したりしていた。そのため、コネクタの高さ寸法が大きくなりやすいという問題があった。
【０００９】
本発明は、上述した事情に鑑みてなされたものであり、その目的は、高さ方向にコンパクトな形状のコネクタハウジングを提供することにある。
【課題を解決するための手段】
【００１０】
前述した目的を達成するために、本発明に係るコネクタハウジングは、下記（１）〜（３）を特徴としている。
（１）  相手側コネクタのハウジングと嵌合するハウジング本体と、
前記ハウジング本体に端子を組み付ける際の端子の挿入方向と直交する方向のうち、一の方向を上下方向、他の方向のうち上下方向と直交する方向を左右方向とするとき、前記ハウジング本体の内部に上下方向に複数段に配設され、後方からそれぞれ端子が挿入される複数の端子収容室と、
前記各端子収容室に後方から端子が挿入された際に端子に押されて撓み変形し、端子が所定位置まで挿入された段階で撓みから復元して端子を係止する、前記各端子収容室ごとに設けられた可撓片であって、上下方向に隣接する少なくとも２つの前記端子収容室のうちの上段の前記端子収容室においては該端子収容室の下側に、下段の前記端子収容室においては該端子収容室の上側にそれぞれ設けられ、且つ、上方から見た際に左右方向に互いに間隔をあけて設けられた複数のランスと、
を備える、
ことを特徴とするコネクタハウジング。
（２）  上記（１）に記載のコネクタハウジングであって、
前記複数のランスは、端子挿入時の撓み変形の範囲の少なくとも一部が、左右方向から見た際に互いに重なるように形成されている、
ことを特徴とするコネクタハウジング。
（３）  上記（１）または（２）に記載のコネクタハウジングであって、
前記複数の端子収容室の間に、前記ランスを撓ませることで端子に対する前記ランスの係止を解除する端子抜き治具の挿入孔が、共通な挿入孔として設けられている、
ことを特徴とするコネクタハウジング。
【００１１】
上記（１）の構成のコネクタハウジングによれば、上側の端子収容室においては該端子収容室の下側に、下側の端子収容室においては該端子収容室の上側にそれぞれランスを設けると共に左右方向に間隔をあけて配置しているので、一方のランスの撓みの影響を考えずに他方のランスを配置することができる。そのため、上下の端子収容室間の距離を縮めることができ、高さ寸法の縮小によるコネクタハウジングのコンパクト化が可能になる。
上記（２）の構成のコネクタハウジングによれば、上下のランスの撓み変形の範囲の少なくとも一部を、左右方向から見て互いに重なるように設定している。従って、端子挿入時の撓みによるランス同士の干渉を避けながら、上下の端子収容室間の距離を縮めることができる。その結果、高さ寸法の縮小によるコネクタハウジングの一層のコンパクト化が可能になる。
上記（３）の構成のコネクタハウジングによれば、抜き取り治具を共通の挿入孔に挿入することで、各端子収容室に収容された端子に対するランスによる係止を解除し端子を抜き取ることができる。
【発明の効果】
【００１２】
本発明によれば、上下の端子収容室間の距離を縮めることができ、高さ寸法の縮小によるコネクタハウジングのコンパクト化が可能になり、コネクタの小形化に貢献することができる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、本発明の実施形態のコネクタハウジングを使用したコネクタの分解斜視図である。
【図２】図２は、本発明の実施形態の２つのコネクタハウジングの斜視図である。
【図３】図３は、本発明の実施形態の２つのコネクタハウジングのうちの第１のコネクタハウジングの正面図である。
【図４】図４は、図３のＡ−Ａ線に沿う矢視断面図およびその要部拡大図である。
【図５】図５は、従来のコネクタの断面図である。
【発明を実施するための形態】
【００１５】
本発明に関する具体的な実施形態について、各図を参照しながら以下に説明する。
【００１６】
図１は、本発明の実施形態のコネクタハウジングを使用したコネクタの分解斜視図である。
このコネクタは、簡易防水型のコネクタであり、図１に示すように、互いに嵌合する第１コネクタ１０および第２コネクタ２０の組み合わせにより構成されている。
【００１７】
第１コネクタ１０は、オス型の樹脂製の第１のコネクタハウジング１１を主体に構成されている。第１のコネクタハウジング１１の内部には、各電線Ｗの先端にそれぞれ装着された複数のメス型の金属製の端子５８が装着されている。各メス型の端子５８の後端にはゴム製の防水栓５９が装着されている。防水栓５９は、第１のコネクタハウジング１１の各端子収容室１７に端子５８が挿入されることで、各端子収容室１７の後端をシールしている。
【００１８】
第２コネクタ２０は、メス型の樹脂製の第２のコネクタハウジング２１を主体に構成されている。第２のコネクタハウジング２１の内部には、各電線Ｗの先端にそれぞれ装着された複数のオス型の金属製の端子６８が装着されている。各オス型の端子６８の後端にはゴム製の防水栓６９が装着されている。防水栓６９は、第２のコネクタハウジング２１の各端子収容室（不図示）に端子６８が挿入されることで、各端子収容室の後端をシールしている。
【００１９】
このコネクタでは、第１コネクタ１０と第２コネクタ２０の嵌合の際に、一方のコネクタハウジング２１の内部に装着された防水材（不図示）の働きで、端子５８、６８間の電気接触部への水の浸入が抑制される。また、各端子収容室への水の浸入は、防水栓５９、６９により抑制される。
【００２０】
図２は、２つのコネクタハウジングの斜視図である。
図２に示すように、第１のコネクタハウジング１１は、ハウジング本体１２を有している。第２のコネクタハウジング２１は、第１のコネクタハウジング１１のハウジング本体１２が嵌合される嵌合孔２３を前方に向けて備えたハウジング本体２２を有している。
【００２１】
ここで、方向性について次のように定義する。
第１のコネクタハウジング１１については、ハウジング本体１２に端子５８を組み付ける際の端子５８の挿入方向（コネクタ１０、２０の嵌合方向に一致）を前方とし、その反対方向を後方とする。また、端子５８の挿入方向と直交する方向のうち、一の方向を上下方向、他の方向のうち上下方向と直交する方向を左右方向とする。
【００２２】
また、第２のコネクタハウジング２１については、ハウジング本体２２に端子６８を組み付ける際の端子６８の挿入方向（コネクタ１０、２０の嵌合方向に一致）を前方とし、その反対方向を後方とする。また、端子６８の挿入方向と直交する方向のうち、一の方向を上下方向、他の方向のうち上下方向と直交する方向を左右方向とする。
【００２３】
第１のコネクタハウジング１１のハウジング本体１２の上面と左右側面には、ガイド凸部１４Ａ、１４Ｂが設けられている。第２のコネクタハウジング２１のハウジング本体２２の嵌合孔２３の内周面には、ガイド凹部２４Ａ、２４Ｂが設けられている。第１のコネクタハウジング１１と第２のコネクタハウジング２１を嵌合した際には、ガイド凸部１４Ａ、１４Ｂがガイド凹部２４Ａ、２４Ｂに嵌まることで、両コネクタハウジング１１、２１の嵌合がガイドされる。
【００２４】
また、第１のコネクタハウジング１１のハウジング本体１２の上面にはロック部１５が設けられ、第２のコネクタハウジング２１のハウジング本体２２の上部にはロックアーム２５が設けられている。第１のコネクタハウジング１１と第２のコネクタハウジング２１を嵌合した際には、ロックアーム２５とロック部１５が係合することで、両コネクタハウジング１１、２１がロックされる。
【００２５】
図３は、２つのコネクタハウジングのうちの第１のコネクタハウジングの正面図である。
図３に示すように、第１のコネクタハウジング１１のハウジング本体１２の内部には、前後方向に延在する３つの端子収容室１７Ａ、１７Ｂ、１７Ｃが設けられている。３つの端子収容室１７Ａ、１７Ｂ、１７Ｃは、前後方向に沿って互いに平行に延在しており、三角形の３つの頂点の位置に配置されている。即ち、上段の位置に、２つの端子収容室１７Ａ、１７Ｂが左右に並べて配置されている。また、下段の位置に、１つの端子収容室１７Ｃが配置されている。下段の端子収容室１７Ｃは、上方から見た際に上段の２つの端子収容室１７Ａ、１７Ｂの中間に配置されている。各端子収容室１７Ａ、１７Ｂ、１７Ｃには、それぞれ後方からメス型の端子５８が挿入される。
【００２６】
各端子収容室１７Ａ、１７Ｂ、１７Ｃには、それぞれランス１９Ａ、１９Ｂ、１９Ｃが設けられている。各ランス１９Ａ、１９Ｂ、１９Ｃは、各端子収容室１７Ａ、１７Ｂ、１７Ｃに後方から端子５８が挿入された際に、端子５８を抜け止め係止する可撓片である。即ち、ランス１９Ａ、１９Ｂ、１９Ｃは、端子収容室１７Ａ、１７Ｂ、１７Ｃに後方から挿入される端子５８に押されて上下方向に撓み変形し、端子５８が所定位置まで挿入された段階で撓みから復元して端子５８を係止する。
【００２７】
図４は、図３のＡ−Ａ線に沿う矢視断面図およびその要部拡大図である。
図３および図４に示すように、ランス１９Ａ、１９Ｂ、１９Ｃは、各端子収容室１７Ａ、１７Ｂ、１７Ｃごとにそれぞれ設けられており、ハウジング本体１２に一体的に形成されている。上側の端子収容室１７Ａ、１７Ｂのランス１９Ａ、１９Ｂは、端子収容室１７Ａ、１７Ｂの下側に配置されている。下側の端子収容室１７Ｃのランス１９Ｃは、端子収容室１７Ｃの上側に配置されている。即ち、上下方向に隣接する端子収容室１７Ａ、１７Ｂ、１７Ｃの互いに上下に向かい合う位置にランス１９Ａ、１９Ｂ、１９Ｃが配置されている。しかも、上側の端子収容室１７Ａ、１７Ｂのランス１９Ａ、１９Ｂと下側の端子収容室１７Ｃのランス１９Ｃは、上方から見た際に左右方向に互いに間隔をあけた位置に設けられている。
【００２８】
図４に示すように、上側の端子収容室１７Ａ（１７Ｂ）のランス１９Ａ（１９Ｂ）は、端子５８が後方から前方に向けて挿入された際に、端子５８に押されて下方（矢印Ｙ１方向）に撓み変形する。また、下側の端子収容室１７Ｃのランス１９Ｃは、端子５８が後方から前方に向けて挿入された際に、端子５８に押されて上方（矢印Ｙ２方向）に撓み変形する。これらの撓み変形する範囲は、上段のランス１９Ａ（１９Ｂ）の位置と下段のランス１９Ｃの位置が左右方向にずれているので被らない。従って、左右方向から見た際に、上段のランス１９Ａ（１９Ｂ）と下段のランス１９Ｃの撓み変形の範囲の少なくとも一部が重なるように形成することも問題なくできる。
【００２９】
また、上段の端子収容室１７Ａ、１７Ｂと下段の端子収容室１７Ｃとの間には、前方から後方に向かって、端子抜き取り治具（不図示）の挿入孔１６が共通の挿入孔として設けられている。この抜き取り治具は、コネクタハウジング１１の挿入孔１６に前方から挿入された際に、ランス１９Ａ〜１９Ｃを撓ませることで、端子５８に対するランス１９Ａ〜１９Ｃの係止を解除する。従って、その状態で、後方に電線Ｗを引っぱることにより、端子５８をコネクタハウジング１１から抜き取ることができる。
【００３０】
このようにランス１９Ａ〜１９Ｃを形成した第１のコネクタハウジング１１によれば、上段のランス１９Ａ、１９Ｂの撓みの影響を考えずに下段のランス１９Ｃを配置することができる。また、下段のランス１９Ｃの撓みの影響を考えずに上段のランス１９Ａ、１９Ｂを配置することができる。そのため、上下の端子収容室１７Ａ、１７Ｂ、１７Ｃ間の距離を縮めることができ、高さ寸法の縮小によるコネクタハウジング１１のコンパクト化が可能になる。
【００３１】
特に、上下のランス１９Ａ〜１９Ｃの撓み変形の範囲の少なくとも一部が左右方向から見て互いに重なるように設定した場合には、撓みによるランス１９Ａ〜１９Ｃ同士の干渉を避けながら、上下の端子収容室１７Ａ〜１７Ｃ間の距離を縮めることができる。その結果、高さ寸法の縮小によるコネクタハウジング１１の一層のコンパクト化が可能になる。
【００３２】
第２のコネクタハウジング２１についても、第１のコネクタハウジング１１に対応させて端子収容室（不図示）が設けられている。そして、各端子収容室ごとに、後方から挿入された端子６８を抜け止め係止するランス（不図示）が設けられている。これらのランスについても、第１のコネクタハウジング１１と同様に形成することができる。
【００３３】
なお、本発明は、上記実施形態に限定されるものではなく、本発明の目的が達成できる他の構成等を含み、以下に示すような変形等も本発明に含まれる。
【００３４】
例えば、上記実施形態では、上下２段に３つの端子収容室１７Ａ〜１７Ｃが配置されている場合について述べたが、端子収容室の上下方向の段数や左右方向の配列個数については特に限定されるものではない。
【００３５】
また、全部の端子収容室について上述の関係でランスが配置されている必要はなく、少なくとも一部の端子収容室のランスについて上述の関係で配置されていればよい。例えば、低圧回路と高圧回路が１つに設けられるハイブリットコネクタの場合、高圧回路用の端子収容室にはランスが設けられていないことがある。その場合は、低圧回路用の端子収容室間にのみ上述の関係でランスが配置されていればよい。
【００３６】
ここで、上述した本発明に係るコネクタハウジングの実施形態の特徴をそれぞれ以下［１］〜［３］に簡潔に纏めて列記する。
［１］  相手側コネクタのハウジング（２１）と嵌合するハウジング本体（１２）と、
前記ハウジング本体（１２）に端子（５８）を組み付ける際の端子（５８）の挿入方向と直交する方向のうち、一の方向を上下方向、他の方向のうち上下方向と直交する方向を左右方向とするとき、前記ハウジング本体（１２）の内部に上下方向に複数段に配設され、後方からそれぞれ端子（５８）が挿入される複数の端子収容室（１７Ａ、１７Ｂ、１７Ｃ）と、
前記各端子収容室（１７Ａ、１７Ｂ、１７Ｃ）に後方から端子（５８）が挿入された際に端子（５８）に押されて撓み変形し、端子（５８）が所定位置まで挿入された段階で撓みから復元して端子（５８）を係止する、前記各端子収容室（１７Ａ、１７Ｂ、１７Ｃ）ごとに設けられた可撓片であって、上下方向に隣接する少なくとも２つの前記端子収容室（１７Ａ、１７Ｂ、１７Ｃ）のうちの上段の前記端子収容室（１７Ａ、１７Ｂ）においては該端子収容室の下側に、下段の前記端子収容室（１７Ｃ）においては該端子収容室の上側にそれぞれ設けられ、且つ、上方から見た際に左右方向に互いに間隔をあけて設けられた複数のランス（１９Ａ、１９Ｂ、１９Ｃ）と、
を備える、
ことを特徴とするコネクタハウジング（１１）。
［２］  上記［１］に記載のコネクタハウジング（１１）であって、
前記複数のランス（１９Ａ、１９Ｂ、１９Ｃ）は、端子挿入時の撓み変形の範囲の少なくとも一部が、左右方向から見た際に互いに重なるように形成されている、
ことを特徴とするコネクタハウジング（１１）。
［３］  上記［１］または［２］に記載のコネクタハウジング（１１）であって、
前記複数の端子収容室（１７Ａ、１７Ｂ、１７Ｃ）の間に、前記ランス（１９Ａ、１９Ｂ、１９Ｃ）を撓ませることで端子（５８）に対する前記ランス（１９Ａ、１９Ｂ、１９Ｃ）の係止を解除する端子抜き治具の挿入孔（１６）が、共通な挿入孔として設けられている、
ことを特徴とするコネクタハウジング（１１）。
【符号の説明】
【００３７】
１１  コネクタハウジング
１２  ハウジング本体
１６  挿入孔
１７Ａ，１７Ｂ，１７Ｃ  端子収容室
１９Ａ，１９Ｂ，１９Ｃ  ランス
５８  端子
【図１】
2019114361.tif 000003
【図２】
2019114361.tif 000004
【図３】
2019114361.tif 000005
【図４】
2019114361.tif 000006
【図５】
2019114361.tif 000007